(57)【要約】  【目的】ガス・水道の計量器回りの配管が効率的に施工できる計量器回り一体型配管ユニットを提供する。  【構成】計量器回り一体型配管ユニット５０は、固定手段Ｋ１によって床面Ｆに垂設される２本の支柱１ａ、１ｂと該支柱１ａ、１ｂに高さ調整手段Ｋ２によって横架された梁２ａ、２ｂとを有する薄板金属製の枠体３と、枠体３に対して高さ調整可能に水平に固定された水道管固定用アタッチメント５ａ、５ｂ、５ｃ及びガス管固定用アタッチメント６と、量水器８を取り付けるスペースＳ１を設けつつ前記量水器８と連結されるように水道管固定用アタッチメント５ｂに固定されたバルブ付減圧弁９及び継手１０を備える量水器回りの水道配管１１と、ガス計量器１２を取り付けるスペースＳ２を設けつつ前記ガス計量器１２と連結する継手１３と開閉弁１４を備えて前記ガス管固定用アタッチメント６に固定されたガス計量器回りのガス配管１５と、を備える。【選択図】  図１
2005140172.tif 000002
【特許請求の範囲】
【請求項１】
固定手段によって床面に垂設される平行な２本の支柱と該支柱に高さ調整手段によって高さ調整可能に水平に横架された梁とを有する薄板金属製の枠体と、
前記枠体に対して高さ調整可能に水平に固定された水道管固定用アタッチメント及びガス管固定用アタッチメントと、
量水器を取り付けるスペースを設けつつ前記量水器と連結されるように前記水道管固定用アタッチメントに固定されたバルブ付減圧弁及び継手を備える量水器回りの水道配管と、
ガス計量器を取り付けるスペースを設けつつ前記ガス計量器と連結する継手と開閉弁を備えて前記ガス管固定用アタッチメントに固定されたガス計量器回りのガス配管と、
を備えることを特徴とするガス及び水道の計量器回り一体型配管ユニット。
【発明の詳細な説明】
【技術分野】
【０００１】
本発明は、マンションや一戸建の家屋にガス及び水道を夫れ夫れの本管より分岐して配管するための分岐点における計量器回りの配管ユニットに関する。
【背景技術】
【０００２】
従来、マンションや一戸建家屋の各家庭に都市ガスや水道を配管するには、各本管から分岐させてガス計量器や量水器を介して屋内に配管する配管工事が各々の専門業者によって別個に行われており、かなりの労力と時間を要していた。
【０００３】
この点、下記［特許文献１］には、重複作業を含む現場施工の手間が省ける計量器として、集合住宅の設備共用配管（本管）と住宅内配管との分岐箇所に、ガス計量器や量水器、更には積算電力計等の計量器を設けるための計量器集合ユニットの技術が開示されている。
【０００４】
図４は［特許文献１］の計量器集合ユニットＡの構造を示す斜視図である。本図において、集合住宅の設備共用配管と住宅内配管との分岐箇所に設けられる計量器集合ユニットＡは、分岐箇所に設置可能な計量器支持体３０に、設備共用配管（ガス本管）への接続配管３１と住宅内への接続配管３２とを有するガス計量器３３、設備共用配管（水道本管）への接続配管３４と住宅内への接続配管３５とを有する量水器３６、本線への接続線３７と住宅内への屋内配線３８とを有する電力量計３９を固定設置するとともに、前記ガス計量器３３と量水器３６と電力量計３９との計量器支持体３０への取り付け位置が前記分岐箇所の計量器取り付け位置に合わせられていることを特徴とする。
【０００５】
【特許文献１】特開平１０−２１３２９９号公報
【発明の開示】
【発明が解決しようとする課題】
【０００６】
しかしながら、前記計量器集合ユニットＡは、直方体形状の枠組み構造の計量器支持体３０に対して、ガス計量器３３や量水器３６等の計量器が現場での設置工事前に予め設けられ固定されており、現場での位置の再調整が出来ない融通性に欠けるものとなっており、且つ全体として大型となってスペースを大きく取ってしまい、運搬・保管のコストも高くなって実用性に乏しいという難点がある。
【０００７】
仮に、建築物の設計段階で前記ガスや水道の本管からの分岐箇所が正確に定まっており、予め計量器の適正位置が定まっている場合は、上記計量器集合ユニットＡでも対応可能であるが、ガス、水道の分岐箇所での配管は住宅によって適正配置が様々の状況に変化するのが通常であって、予め取り付け位置を合わせるといっても、計量器回りの配管は現場において設置位置に融通性を持って施工できることが強く要請されるのである。
【０００８】
また、現実にはガス計量器３３や量水計３６の取り付け施工は、法規上、各専門業者のみが実施可能であって、予め上記のような計量器集合ユニットＡとしてセットし準備することは出来ない。
【０００９】
本発明は上記事情に鑑みてなされたものであり、現場における水道及びガスの本管からの分岐箇所の種々の設置条件に対応してガス及び水道の計量器回りの配管を迅速且つ適正に施工できるコンパクトで融通性に富む組み立て式の一体型配管ユニットを提供することを目的とする。
【課題を解決するための手段】
【００１０】
本発明は、固定手段によって床面に垂設される平行な２本の支柱と該支柱に高さ調整手段によって高さ調整可能に水平に横架された梁とを有する薄板金属製の枠体と、前記枠体に対して高さ調整可能に水平に固定された水道管固定用アタッチメント及びガス管固定用アタッチメントと、量水器を取り付けるスペースを設けつつ前記量水器と連結されるように前記水道管固定用アタッチメントに固定されたバルブ付減圧弁及び継手を備える量水器回りの水道配管と、ガス計量器を取り付けるスペースを設けつつ前記ガス計量器と連結する継手と開閉弁を備えて前記ガス管固定用アタッチメントに固定されたガス計量器回りのガス配管と、を備えることを特徴とするガス及び水道の計量器回り一体型配管ユニットを提供することにより、上記課題を達成する。
【発明の効果】
【００１１】
本発明に係るガス及び水道の計量器回り一体型配管ユニットは、上記のように構成されているため、重複作業を含むガス及び水道の計量器回りの配管の現場施工の手間が省け、且つ融通性に富んでおり、分岐箇所での種々の条件に対応してガス及び水道の計量器回りの配管を迅速且つ適正に施工できるという優れた効果を有する。
【発明を実施するための最良の形態】
【００１２】
本発明に係るガス及び水道の計量器回り一体型配管ユニットの好適な実施の形態について図面に基づいて説明する。
【００１３】
図１は、本管の分岐箇所に設置された本発明のガス及び水道の計量器回り一体型配管ユニットの斜視図である。図２は本発明のガス及び水道の計量器回り一体型配管ユニットにガス計量器と量水器を設置した状態の正面図であり、図３は同状態の側面図である。
【００１４】
図１又は図２又は図３において、ガス及び水道の計量器回り一体型配管ユニット５０は、固定手段Ｋ１によって床面Ｆに垂設される平行な２本の支柱１ａ、１ｂと該支柱１ａ、１ｂに高さ調整手段Ｋ２によって高さ調整可能に水平に横架された梁２ａ、２ｂとを有する薄板金属製の枠体３と、前記枠体３に対して高さ調整可能に水平に固定された水道管固定用アタッチメント５ａ、５ｂ、５ｃ及びガス管固定用アタッチメント６と、量水器８を取り付けるスペースＳ１を設けつつ前記量水器８と連結されるように前記水道管固定用アタッチメント５ｂに固定されたバルブ付減圧弁９及び継手１０を備える量水器回りの水道配管１１と、ガス計量器１２を取り付けるスペースＳ２を設けつつ前記ガス計量器１２と連結する継手１３と開閉弁１４を備えて前記ガス管固定用アタッチメント６に固定されたガス計量器回りのガス配管１５と、を備える構造である。
【００１５】
上記支柱１ａ、１ｂはステンレス鋼、アルミ合金等の強固な薄板金属製で、断面が一辺４０ｍｍ程度の正方形のコの字形の単一柱である。その長さは任意であるが、取扱の利便性、計量器の設置高さの適正範囲を考慮すると、実質上、１１０ｃｍ〜１７０ｃｍ程度が好適である。
【００１６】
上記梁２ａ、２ｂは支柱１ａ、１ｂを所定間隔で強固に連結したり、ガス管固定用アタッチメント６を固定するためのである。上記梁２ａ、２ｂは支柱と同様の金属製である。
【００１７】
上記梁２ａ、２ｂの高さ調整手段Ｋ２は、例えば、図１に示されるように、支柱１ａ、１ｂの外側に嵌合して摺動する断面コの字形の梁２ａ、２ｂを取り付けた部材２７を、支柱１ａ、１ｂのスリット部２６を通して任意の高さでボルト／ナット２５で水平に固定されるようにした構造が採用される。
【００１８】
上述の枠体３は、例えば、図１に示されるように、ベースプレート１７に溶接したアングル１８に前記支柱１ａ、１ｂの底部をボルト締め等で固定し、前記ベースプレート１７を予め床面Ｆに植設されたアンカーボルト１９によって床面Ｆに強固に固定する等の固定手段Ｋ１で設置することができる。
【００１９】
なお、最近では、特殊な形状のボルトとナットのセットが始めより組み合わされて一体になっており、支柱１ａ、１ｂに設けられた所定の貫通孔又は前記スリット２６を通してナット側を支柱の内側に挿入して９０度回転させ、前記支柱１ａ、１ｂの内側の長さ方向に設けられたギザギザの凹凸歯にナットに設けられた凹凸を噛み合わせて容易に抜けないようにし、ボルトを軽く１回転程締め付けることでボルトに挿通されたバネを利用してワンタッチで固定できるように工夫された金属製の支柱、梁その他各種の取り付け部材があり、パイプの吊り下げ用具として製品化されているので、これを前記枠体３として利用することも好適である。図１〜図３に示される枠体３は上記吊り下げ用具の支柱、梁、連結部材等を利用したものである。
【００２０】
次に、分岐箇所におけるガス及び水道の配管作業は、先ず、現場にコンパクトな本発明の計量器回り一体型配管ユニット５０を搬入して、アンカーボルト１９等で支柱１ａ、１ｂを分岐箇所の床面Ｆに固定して設置し、図１に示されるように、水道の本管２１から分岐する継手２３と量水器８側の配管１１の継手１０との点線矢印Ｎで示される間をフレキシブル管等で連結する。また、ガスの本管２２から分岐する継手２４とガス計量器１２回りの配管１５の継手１６との点線矢印Ｍで示される間を前記同様にフレキシブルガス管等で連結する。
【００２１】
作業の際には、必要に応じて水道管固定用アタッチメント５ａ、５ｂ、５ｃ及びガス管固定用アタッチメント６の高さを、例えば図１に示されるように、支柱１ａ、１ｂの外側に嵌合して摺動する部材２７を支柱１ａ、１ｂに沿って動かして位置調整する。
【００２２】
次に、専門業者によって量水器８をスペースＳ１に載置して水道配管１１の端部にナット締めすることで簡単に連結でき、また、ガス計量器１２もガス計量器回りのガス配管１５の継手１３にナットで簡単に連結される。
【００２３】
以上説明した本発明に係るガス及び水道の計量器回り一体型配管ユニット５０によれば、多様な住居における都市ガスや水道の本管からの分岐箇所に設置すべき計量器回りの配管が高さ調整可能に予めセットされており、枠体及び計量器の取り付け作業で済むことになって作業効率が格段に向上し、且つ計量器の設置と配管が極めてコンパクトに高品質に仕上げることが可能になるのである。
【図面の簡単な説明】
【００２４】
【図１】本管の分岐箇所に設置された本発明に係るガス及び水道の計量器回り一体型配管ユニットの斜視図である。
【図２】本発明に係るガス及び水道の計量器回り一体型配管ユニットにガス計量器と量水器を設置した状態の正面図である。
【図３】本発明に係る計量器回り一体型配管ユニットの上記状態の側面図である。
【図４】公知技術の計量器集合ユニットの斜視図である。
【符号の説明】
【００２５】
１ａ、１ｂ    支柱
２ａ、２ｂ    梁
３    枠体
５ａ、５ｂ、５ｃ    水道管固定用アタッチメント
６    ガス管固定用アタッチメント
８    量水器
９    バルブ付減圧弁
１０、１３、１６、２３、２４    継手
１１    量水器回りの水道配管
１２    ガス計量器
１４    開閉弁
１５    ガス計量器回りのガス配管
１７    ベースプレート
１８    アングル
１９    アンカーボルト
２５    ボルト／ナット
２６    スリット部
２７    部材
５０    計量器回り一体型配管ユニット
Ｋ１    固定手段
Ｋ２    高さ調整手段
Ｆ    床面
Ｓ１    量水器を取り付けるスペース
Ｓ２    ガス計量器を取り付けるスペース
【図１】
2005140172.tif 000003
【図２】
2005140172.tif 000004
【図３】
2005140172.tif 000005
【図４】
2005140172.tif 000006